(57)【特許請求の範囲】
【請求項１】
画面、画像を表示し、切り取りとコピーと貼り付けの対象となる画像であるオブジェクトを表示する表示部と、
前記表示部に対して設けられ、使用者の入力を受け付け、複数のタッチされている位置を検知し、同時にタッチされた２点の間隔を狭める第１操作と、同時にタッチされた２点の間隔を広げる第２操作と、を受け付けるタッチパネル部と、を含み、
前記タッチパネル部は、タッチされた２点の両方又は一方の位置に表示された前記オブジェクトを指定オブジェクトとして指定する入力を受け付け、前記第１操作を前記指定オブジェクトの切り取り又はコピーを指示する入力として受け付け、前記第２操作を前記指定オブジェクトの貼り付け指示として受け付け、
前記表示部は貼り付けが指示されたときの表示中の画面に、前記指定オブジェクトを貼り付け表示し、
前記タッチパネル部は前記第１操作で狭められた２点の間隔が予め定められた閾値以下であれば前記指定オブジェクトの切り取りを指示する入力として受け付け、前記第１操作で２点の狭められた２点の間隔が前記閾値を超えれば前記指定オブジェクトのコピーを指示する入力として受け付け、又は、前記第１操作で２点の狭められた２点の間隔が予め定められた閾値以下であれば前記指定オブジェクトのコピーを指示するする入力として受け付け、前記第１操作で２点の狭められた２点の間隔が前記閾値を超えれば前記指定オブジェクトの切り取りを指示する入力として受け付けることを特徴とする表示入力装置。
【請求項２】
画面、画像を表示し、切り取りとコピーと貼り付けの対象となる画像であるオブジェクトを表示する表示部と、
前記表示部に対して設けられ、使用者の入力を受け付け、複数のタッチされている位置を検知し、同時にタッチされた２点の間隔を狭める第１操作と、同時にタッチされた２点の間隔を広げる第２操作と、を受け付けるタッチパネル部と、を含み、
前記タッチパネル部は、タッチされた２点の両方又は一方の位置に表示された前記オブジェクトを指定オブジェクトとして指定する入力を受け付け、前記第１操作を前記指定オブジェクトの切り取り又はコピーを指示する入力として受け付け、前記第２操作を前記指定オブジェクトの貼り付け指示として受け付け、
前記表示部は貼り付けが指示されたときの表示中の画面に、前記指定オブジェクトを貼り付け表示し、
前記第２操作があったとき、前記表示部は前記指定オブジェクトを貼り付けるか否かを確認するためのダイアログ画面を表示し、前記タッチパネル部が前記指定オブジェクトを貼り付ける旨の入力を受け付けたとき前記指定オブジェクトを表示中の画面に貼り付け表示し、前記タッチパネル部が前記指定オブジェクトを貼り付けない旨の入力を受け付けたとき前記指定オブジェクトを表示中の画面に表示せず、前記第２操作があったとき、前記指定オブジェクトが指定されてから予め定められた時間内であれば、前記表示部は前記ダイアログ画面を表示せずに表示中の画面に前記指定オブジェクトを貼り付け表示することを特徴とする表示入力装置。
【請求項３】
前記第２操作が前記指定オブジェクトの貼り付け以外の操作に割り当てられているとき前記表示部は前記ダイアログ画面を表示することを特徴とする請求項２に記載の表示入力装置。
【請求項４】
切り取り又はコピーを行う複数の前記指定オブジェクトが指定されている状態で、前記第２操作により前記指定オブジェクトの貼り付け指示があったとき、
前記表示部は表示中の画面に最後に指定された前記指定オブジェクトを貼り付け表示することを特徴とする請求項１乃至３のいずれか１項に記載の表示入力装置。
【請求項５】
切り取り又はコピーを行う複数の前記指定オブジェクトが指定されている状態で、前記第２操作により前記指定オブジェクトの貼り付け指示があったとき、
前記表示部は複数の前記指定オブジェクトのうち貼り付ける前記指定オブジェクトを指定するための選択画面を表示し、前記選択画面により前記タッチパネル部が貼り付けるとして入力を受け付けた前記指定オブジェクトを表示中の画面に貼り付け表示することを特徴とする請求項１乃至３のいずれか１項に記載の表示入力装置。
【請求項６】
前記表示部が前記第２操作に基づき、前記指定オブジェクトの貼り付け表示を行ったとき、
前記タッチパネル部は前記第２操作によりタッチされた２点のいずれもがタッチされなくなったことを前記指定オブジェクトの貼り付けの確定入力として受け付け、
前記表示部は貼り付けがなされた画面を表示するたびに貼り付けが確定された前記指定オブジェクトを表示することを特徴とする請求項１に記載の表示入力装置。
【請求項７】
前記表示部が前記第２操作に基づき、前記指定オブジェクトの貼り付け表示を行ったとき、
前記表示部は前記第２操作によりタッチされた２点の移動量と移動方向に応じて、貼り付け表示により表示された前記指定オブジェクトの表示位置を移動させることを特徴とする請求項１乃至６のいずれか１項に記載の表示入力装置。
【請求項８】
請求項１乃至７のいずれか１項に記載の表示入力装置を含むことを特徴とする画像形成装置。
【発明の詳細な説明】
【技術分野】
【０００１】
本発明は表示部やタッチパネル部を有する表示入力装置、及び、これを備えた画像形成装置に関する。
【背景技術】
【０００２】
各種電気機器、電子機器には、設定入力や機器の操作を行うためのタッチパネルと組み合わされた表示パネルが取り付けられることがある。例えば、表示パネルには、データやファイルを示す画像（例えば、アイコンや文字列）などが表示される。そして、データ等を示す画像をカットアンドペーストやコピーアンドペーストすることにより、データ等の格納場所の切り替えや、データ等の複製を行えるようにすることがある。例えば、移動やコピーしたい対象を示す画像を選択し、メニューを表示させ、メニューから所望の処理を選択するなどの操作が必要となる、しかし、タッチパネル付きの表示パネルでは、通常、マウスのようなボタンを備えたデバイスは無いので、メニューを用いた操作は適さず、カットアンドペーストやコピーアンドペーストを行いづらい場合がある。
【０００３】
このような問題に対し、情報端末装置でのデータや画像などのカットアンドペーストを簡単にしようとする技術の一例が特許文献１に記載されている。具体的に、特許文献１には、ペン型ポインティングデバイスと情報端末装置とからなり、ペン型ポインティングデバイスは機械スイッチ、データを記憶する第１のメモリー，機械スイッチ操作に応じて、第１のメモリーにデータが記憶されているかどうかを判定する判定手段、判定手段によりデータが記憶されていると判定されると第１のメモリーに記憶されているデータを情報端末装置に送信し、データが記憶されていないと判定されたことに応じて受信モードを示すデータを情報端末装置に送信する第１の送信回路を備え、情報端末装置は第１の送信回路から送信された第１のメモリーに記憶されているデータを受信して記憶する第２のメモリーと、第１の送信回路から送信された受信モード・データを受信したことに応じ情報端末装置に記憶されているデータのうち選択されているデータをペン型ポインティングデバイスに送信する第２の送信回路を備え、ペン型ポインティングデバイスが第２の送信回路から送信されたデータを第１のメモリーに記憶する記憶制御手段を備えた情報端末システムが記載されている。この構成により、ペン型ポインティングデバイスを用いて、データの受け渡しや、データのカット（コピー）アンドペースト処理を簡単に行えるようにしようとする（特許文献１：請求項１、段落［０００６］等参照）。
【先行技術文献】
【特許文献】
【０００４】
【特許文献１】特開２００３−１７７８６４号公報
【発明の概要】
【発明が解決しようとする課題】
【０００５】
例えば、複写機、複合機、プリンター、ＦＡＸ装置等の画像形成装置にも、表示を行うパネルとタッチパネルの組み合わせを含む操作パネルが設けられる。そして、画像形成装置のような固定された表示パネルでも、電子付箋を示す画像（付箋紙のような注意書きなどのテキストデータを含む画像）や、データやファイルを示す画像など、操作の対象としてのオブジェクトの切り取りやコピーやその貼り付けを行うことがある。
【０００６】
現状、同一画面内ではオブジェクトの表示位置を移動させる操作は比較的容易な場合が多い。例えば、移動させたいオブジェクトをタッチし、タッチしたまま指の位置を、オブジェクトを表示させたい位置まで移動させる操作（ドラッグアンドドロップ）により、オブジェクトの表示位置を移動させることができる。
【０００７】
しかし、現在の表示画面とは異なる画面にオブジェクトに表示させる場合は、複数種の操作を行う必要がある。例えば、（１）切り取りやコピーしたいオブジェクトを選択→（２）選択状態でメニューを表示させる操作→（３）メニュー内から切り取り等の所望の処理を選択→（４）切り取りやコピーしたオブジェクトを表示させたい画面に移動→（５）メニューなど貼り付けを行うための画面、画像を表示させる操作→（６）貼り付けたいオブジェクトの選択→（７）オブジェクトの貼り付け、というように、多くの操作が必要となる。あるいは、画面表示の切り替え１回ごとに、オブジェクトの貼り付けや切り取りの操作が必要となることもある。
【０００８】
このように、従来、表示パネルとタッチパネルの組み合わせを含む操作パネルでは、切り取りやコピーしたオブジェクトを、切り取りやコピーした画面とは異なる画面に貼り付ける操作は簡易ではないという問題がある。言い換えると、切り取りやコピーした画面とは異なる画面にオブジェクトを貼り付ける操作を簡易に、直感的（直観的）行えず（煩わしく）、操作がわかりにくいという問題がある。
【０００９】
尚、特許文献１をみると、特許文献１記載の技術では、ペン型ポインティングデバイスが必要である。そのため、コストがかかる。又、ペン型ポインティングデバイスの機械スイッチ操作（ペン型ポインティングデバイスの上端のプッシュボタンスイッチ２３を押す操作）により、コピーの対象の指定やコピーした内容の貼り付けが行われる。しかし、ペンのようにペン型ポインティングデバイスを持ちつつ、ペン型ポインティングデバイスの上端（頭部分）は押す必要があり、使いづらい。又、コピーや貼り付けの操作は、ペン型ポインティングデバイスを用いても複雑なままであり、直感的（直観的）行えず操作がわかりにくい側面も有する。従って、特許文献１記載の技術では上記の問題を解決することはできない。
【００１０】
本発明は上記の問題点に鑑み、２点タッチにより切り取りやコピーを行うオブジェクトの指定と貼り付けを簡易、直感的に行えるようし、表示入力装置を使いやすくすることを課題とする。
【課題を解決するための手段】
【００１１】
上記課題解決のため請求項１に係る表示入力装置は、画面、画像を表示し、切り取りとコピーと貼り付けの対象となる画像であるオブジェクトを表示する表示部と、前記表示部に対して設けられ、使用者の入力を受け付け、複数のタッチされている位置を検知し、同時にタッチされた２点の間隔を狭める第１操作と、同時にタッチされた２点の間隔を広げる第２操作と、を受け付けるタッチパネル部と、を含み、前記タッチパネル部は、タッチされた２点の両方又は一方の位置に表示された前記オブジェクトを指定オブジェクトとして指定する入力を受け付け、前記第１操作を前記指定オブジェクトの切り取り又はコピーを指示する入力として受け付け、前記第２操作を前記指定オブジェクトの貼り付け指示として受け付け、前記表示部は貼り付けが指示されたときの表示中の画面に、前記指定オブジェクトを貼り付け表示することとした。
【００１２】
この構成によれば、タッチパネル部は、タッチされた２点の両方又は一方の位置に表示されたオブジェクトを指定オブジェクトとして指定する入力を受け付け、第１操作を指定オブジェクトの切り取り又はコピーを指示する入力として受け付け、第２操作を指定オブジェクトの貼り付け指示として受け付け、表示部は貼り付けが指示されたときの表示中の画面に、指定オブジェクトを貼り付け表示する。これにより、オブジェクトを容易に指定し、つまむような直感的な指の操作（第１操作）を行って切り取りやコピーの指示を行うことができる。又、展開させるような直観的な指の操作（第２操作）により、表示中の画面に指定オブジェクトの貼り付けを行うことができる。従って、切り替えが必要な画面への指定オブジェクトの移動やコピーと貼り付けを簡易、直感的に行うことができる。そして、表示入力装置を使いやすくすることができる。
【００１３】
又、請求項１の発明において、前記タッチパネル部は前記第１操作で狭められた２点の間隔が予め定められた閾値以下であれば前記指定オブジェクトの切り取りを指示する入力として受け付け、前記第１操作で２点の狭められた２点の間隔が前記閾値を超えれば前記指定オブジェクトのコピーを指示する入力として受け付け、又は、前記第１操作で２点の狭められた２点の間隔が予め定められた閾値以下であれば前記指定オブジェクトのコピーを指示するする入力として受け付け、前記第１操作で２点の狭められた２点の間隔が前記閾値を超えれば前記指定オブジェクトの切り取りを指示する入力として受け付けることとした。
【００１４】
この構成によれば、タッチパネル部は第１操作で２点の狭められた２点の間隔が予め定められた閾値以下であれば指定オブジェクトの切り取りを指示する入力として受け付け、第１操作で２点の狭められた２点の間隔が閾値を超えれば指定オブジェクトのコピーを指示する入力として受け付け、又は、第１操作で２点の狭められた２点の間隔が予め定められた閾値以下であれば指定オブジェクトのコピーを指示するする入力として受け付け、第１操作で２点の狭められた２点の間隔が閾値を超えれば指定オブジェクトの切り取りを指示する入力として受け付ける。これにより、第１操作でのタッチに用いている２本の指の移動の程度（移動量）により切り取るかコピーを行うかを選択することができる。従って、切り取りかコピーかを選択するためのメニューを表示させる操作や、表示されたメニューから切り取りを行うかコピーを行うかを選択する操作などを行う必要がなく、切り取りかコピーかの選択を簡易、直感的に行うことができる。
【００１５】
又、請求項２に係る発明は、画面、画像を表示し、切り取りとコピーと貼り付けの対象となる画像であるオブジェクトを表示する表示部と、前記表示部に対して設けられ、使用者の入力を受け付け、複数のタッチされている位置を検知し、同時にタッチされた２点の間隔を狭める第１操作と、同時にタッチされた２点の間隔を広げる第２操作と、を受け付けるタッチパネル部と、を含み、前記タッチパネル部は、タッチされた２点の両方又は一方の位置に表示された前記オブジェクトを指定オブジェクトとして指定する入力を受け付け、前記第１操作を前記指定オブジェクトの切り取り又はコピーを指示する入力として受け付け、前記第２操作を前記指定オブジェクトの貼り付け指示として受け付け、前記表示部は貼り付けが指示されたときの表示中の画面に、前記指定オブジェクトを貼り付け表示し、前記第２操作があったとき、前記表示部は前記指定オブジェクトを貼り付けるか否かを確認するためのダイアログ画面を表示し、前記タッチパネル部が前記指定オブジェクトを貼り付ける旨の入力を受け付けたとき前記指定オブジェクトを表示中の画面に貼り付け表示し、前記タッチパネル部が前記指定オブジェクトを貼り付けない旨の入力を受け付けたとき前記指定オブジェクトを表示中の画面に表示せず、前記第２操作があったとき、前記指定オブジェクトが指定されてから予め定められた時間内であれば、前記表示部は前記ダイアログ画面を表示せずに表示中の画面に前記指定オブジェクトを貼り付け表示することとした。
【００１６】
この構成によれば、第２操作があったとき、表示部は指定オブジェクトを貼り付けるか否かを確認するためのダイアログ画面を表示し、タッチパネル部が指定オブジェクトを貼り付ける旨の入力を受け付けたとき指定オブジェクトを表示中の画面に貼り付け表示し、タッチパネル部が指定オブジェクトを貼り付けない旨の入力を受け付けたとき指定オブジェクトを表示中の画面に表示しない。これにより、指定オブジェクトの貼り付けを行うか否かを事前に確認することができ、指定オブジェクトの無用な貼り付けを無くすことができる。また、この構成によれば、第２操作があったとき、指定オブジェクトが指定されてから予め定められた時間内であれば、表示部はダイアログ画面を表示せずに表示中の画面に指定オブジェクトを貼り付け表示する。これにより、指定オブジェクトが指定されてから間もない間（予め定められた時間内）では、指定オブジェクトの貼り付けを優先させることができる。従って、貼り付けが行われる可能性が高い時間帯では、速やかに、スムーズに指定オブジェクトの貼り付けを行うことができる。
【００１７】
又、請求項３に係る発明は、請求項２の発明において、前記第２操作が前記指定オブジェクトの貼り付け以外の操作に割り当てられているとき前記表示部は前記ダイアログ画面を表示することとした。
【００１８】
この構成によれば、第２操作が指定オブジェクトの貼り付け以外の操作に割り当てられているとき表示部はダイアログ画面を表示する。これにより、指定オブジェクトの貼り付け以外の目的で第２操作が行われたときに、使用者の意思に反して指定オブジェクトの貼り付けが行われることを防ぐことができる。従って、指定オブジェクトの貼り付けなどを行いやすくすることができる。
【００２１】
又、請求項４に係る発明は、請求項１乃至３の発明において、切り取り又はコピーを行う複数の前記指定オブジェクトが指定されている状態で、前記第２操作により前記指定オブジェクトの貼り付け指示があったとき、前記表示部は表示中の画面に最後に指定された前記指定オブジェクトを貼り付け表示することとした。
【００２２】
この構成によれば、表示部は最後に指定された指定オブジェクトを表示中の画面に指定オブジェクトを貼り付け表示する。これにより、不要なものを含めて、複数のオブジェクトが表示中の画面に一気に貼り付けられることを防ぐことができる。
【００２３】
又、請求項５に係る発明は、請求項１乃至３の発明において、切り取り又はコピーを行う複数の前記指定オブジェクトが指定されている状態で、前記第２操作により前記指定オブジェクトの貼り付け指示があったとき、前記表示部は複数の前記指定オブジェクトのうち貼り付ける前記指定オブジェクトを指定するための選択画面を表示し、前記選択画面により前記タッチパネル部が貼り付けるとして入力を受け付けた前記指定オブジェクトを表示中の画面に貼り付け表示することとした。
【００２４】
この構成によれば、表示部は複数の指定オブジェクトのうち貼り付ける指定オブジェクトを指定するための選択画面を表示し、選択画面によりタッチパネル部が貼り付けるとして入力を受け付けた指定オブジェクトを表示中の画面に貼り付け表示する。これにより、複数の指定オブジェクトのうち、使用者が所望する指定オブジェクトのみ、表示中の画面に貼り付けることができる。
【００２５】
又、請求項６に係る発明は、請求項１の発明において、前記表示部が前記第２操作に基づき、前記指定オブジェクトの貼り付け表示を行ったとき、前記タッチパネル部は前記第２操作によりタッチされた２点のいずれもがタッチされなくなったことを前記指定オブジェクトの貼り付けの確定入力として受け付け、前記表示部は貼り付けがなされた画面を表示するたびに貼り付けが確定された前記指定オブジェクトを表示する。
【００２６】
この構成によれば、タッチパネル部は第２操作によりタッチされた２点のいずれもがタッチされなくなったことを指定オブジェクトの貼り付けの確定入力として受け付ける。これにより、指をタッチパネル部から離すだけで指定オブジェクトの表示中の画面への貼り付けを直感的、簡易に確定することができる。
【００２７】
又、請求項７に係る発明は、請求項１乃至６の発明において、前記表示部が前記第２操作に基づき、前記指定オブジェクトの貼り付け表示を行ったとき、前記表示部は前記第２操作によりタッチされた２点の移動量と移動方向に応じて、貼り付け表示により表示された前記指定オブジェクトの表示位置を移動させることとした。
【００２８】
この構成によれば、表示部は第２操作によりタッチされた２点の移動量と移動方向に応じて、貼り付け表示により表示された指定オブジェクトの表示位置を移動させる。これにより、表示中の画面への貼り付けの確定前に、指定オブジェクトの表示位置を調整することができる。
【００２９】
又、請求項８に係る画像形成装置は、請求項１乃至７のいずれか１項に記載の表示入力装置を含むこととした。
【００３０】
この構成によれば、画像形成装置はオブジェクトの切り取りやコピーの指定や、指定オブジェクトの貼り付けが直感的で使いやすい表示入力装置を含む。従って、使用者にとって使いやすい画像形成装置を提供することができる。
【発明の効果】
【００３１】
上述したように、本発明によれば、２点タッチにより、切り取りやコピーを行うオブジェクトの指定と貼り付けを簡易、直感的に行え、使いやすい表示入力装置を提供することができる。
【図面の簡単な説明】
【００３２】
【図１】複合機の一例を示す正面模型的断面図である。
【図２】操作パネル１の一例を示す平面図である。
【図３】複合機や操作パネルのハードウェア構成の一例を示すブロック図である。
【図４】操作パネルに表示されるホーム画面の一例を示す説明図である。
【図５】電子付箋を貼り付けたコピー機能の初期設定画面の一例を示す説明図である。
【図６】電子付箋を貼り付けたスキャン送信機能の初期設定画面の一例を示す説明図である。
【図７】ソフトウェアキーボード画面の一例を示す説明図である。
【図８】ボックス機能の初期設定画面の一例を示す説明図である。
【図９】データを示す画像やフォルダーを示す画像が表示されたボックス画面の一例を示す説明図である。
【図１０】オブジェクトの指定と、切り取りとコピーの選択の概要を示す説明図である。
【図１１】切り取りやコピーを行うオブジェクトの指定の流れの一例を示すフローチャートである。
【図１２】指定オブジェクトの貼り付けの指定の概要を示す説明図である。
【図１３】指定オブジェクトを貼り付けるか否かを確認するためのダイアログ画面の一例を示す説明図である。
【図１４】複数の指定オブジェクトのうち貼り付けるオブジェクトを選択する選択画面の一例を示す説明図である。
【図１５】指定オブジェクトの貼り付け処理の流れの一例を示すフローチャートである。
【発明を実施するための形態】
【００３３】
以下、図１〜図１５を用い、実施形態を説明する。以下では、操作パネル１（表示入力装置に相当）を含む複合機１００（画像形成装置に相当）を例に挙げ説明する。但し、本実施の形態に記載されている構成、配置等の各要素は、発明の範囲を限定せず、単なる説明例にすぎない。
【００３４】
（画像形成装置の概略）
まず、図１を用い、実施形態に係る複合機１００の概略を説明する。図１は複合機１００の一例を示す正面模型的断面図である。
【００３５】
図１に示すように、複合機１００の正面前方には、複合機１００に関して各種設定を行うための操作パネル１が設けられる（詳細は後述）。又、図１に示すように、本実施形態の複合機１００は、上部に、画像読取部２ａと原稿搬送部２ｂが設けられ、内部に、給紙部３ａ、搬送部３ｂ、画像形成部４、中間転写部５ａ、定着部５ｂ、排出搬送部３ｃ、両面搬送部３ｄ等を備える。
【００３６】
原稿搬送部２ｂは原稿トレイ２１を有する。コピーやスキャンを行う原稿は原稿トレイ２１に載置される。そして、原稿搬送部２ｂは原稿トレイ２１から原稿を１枚ずつ、自動的に連続して読取位置（送り読取用コンタクトガラス２２）に搬送する。又、原稿搬送部２ｂは図１の紙面奥側を支点として画像読取部２ａに上下方向に開閉自在に取り付けられる。原稿搬送部２ｂは画像読取部２ａのコンタクトガラス（送り読取用コンタクトガラス２２及び載置読取用コンタクトガラス２３）を上方から押さえるカバーとして機能する。
【００３７】
図１に示すように、画像読取部２ａの上面には、送り読取用コンタクトガラス２２と書籍等の原稿を１枚ずつ読み取る際に原稿を載置する載置読取用コンタクトガラス２３が配される。又、画像読取部２ａ内には、ランプ、ミラー、レンズ、イメージセンサー等（不図示）が配される。イメージセンサーは原稿搬送部２ｂが送り読取用コンタクトガラス２２を通過させる原稿、あるいは、載置読取用コンタクトガラス２３に載置された原稿の反射光を元に、原稿を読み取る。そして、イメージセンサーは反射光を画像濃度に応じたアナログの電気信号に変換し、電気信号の量子化を行う。これにより、原稿の画像データが得られる。尚、本実施形態の画像読取部２ａは、カラーでも読み取り可能であり、白黒でも読み取り可能である。
【００３８】
複合機１００本体内の複数の給紙部３ａはそれぞれ、各サイズ（例えば、Ａ４、Ｂ４等のＡ型、Ｂ型の定型用紙やレターサイズ等）、各種用紙（例えば、コピー用紙、再生紙、厚紙、ＯＨＰシート等）を複数枚収容する。各給紙部３ａはそれぞれ回転駆動する給紙ローラー３１を備え、印刷時、１枚ずつ搬送部３ｂに用紙を送り込む。
【００３９】
搬送部３ｂは給紙部３ａから画像形成部４まで装置内で用紙を搬送する通路である。そして、搬送部３ｂには、用紙の案内のためのガイド板や、用紙搬送時に回転駆動する搬送ローラー対３２（図２おいて、上方から３２ａ、３２ｂ、３２ｃの計３つ）や、搬送される用紙を画像形成部４の手前で待機させ、形成されたトナー像の転写タイミングに合わせ用紙を送り出すレジストローラー対３３等が設けられる。
【００４０】
画像形成部４は複数の画像形成ユニット４０（ブラック用の４０Ｂｋ、イエロー用の４０Ｙ、シアン用の４０Ｃ、マゼンタ用の４０Ｍ）と露光装置４１を含む。画像形成ユニット４０は回転駆動可能に支持された感光体ドラムや、感光体ドラムの周囲に配設された帯電装置、現像装置、清掃装置等を備える。露光装置４１は画像読取部２ａで読み取られた画像データや後述の記憶装置６２に記憶される画像データ等に基づき、レーザ光を点消灯しつつ出力し、各感光体ドラムを走査露光する。そして、各画像形成ユニット４０と露光装置４１により、各感光体ドラムの周面上にトナー像が形成される。
【００４１】
中間転写部５ａは各画像形成ユニット４０からトナー像の１次転写を受け、シートに２次転写を行う。中間転写部５ａは、各１次転写ローラー５１Ｂｋ〜５１Ｍ、中間転写ベルト５２、駆動ローラー５３、複数の従動ローラー５４（５４ａ〜５４ｃ）、２次転写ローラー５５、ベルト清掃装置５６等を含む。中間転写ベルト５２は、駆動ローラー５３等に張架され、モータ等の駆動機構（不図示）に接続される駆動ローラー５３の回転駆動により周回する。そして、各１次転写ローラー５１Ｂｋ〜５１Ｍには、転写用電圧が印加され、各感光体ドラムのトナー像は中間転写ベルト５２に転写される。ずれなくトナー像を重畳して中間転写ベルト５２に１次転写した後、所定の電圧を印加された２次転写ローラー５５により、シートにトナー像が転写される。
【００４２】
定着部５ｂは用紙に転写されたトナー像を定着させる。定着部５ｂは発熱体を内蔵する加熱ローラー５７とこれに圧接する加圧ローラー５８を含む。そして、用紙が加熱ローラー５７と加圧ローラー５８のニップを通過すると、トナーが溶融・加熱され、トナー像が用紙に定着する。定着部５ｂから排出された用紙は、排出トレイ３４方向に送られる。
【００４３】
排出搬送部３ｃは印刷済の用紙を排出トレイ３４方向又は両面搬送部３ｄの方向に用紙搬送方向を仕分ける。そして、排出搬送部３ｃは正回転方向に回転駆動して排出トレイ３４の方向に送り出す、或いは、両面印刷のため逆回転しスイッチバックを行う排出ローラー対３５を有する。又、排出搬送部３ｃは、用紙の搬送方向を切り替えるため、切替弁３６を有する。切替弁３６は回動する。切替弁３６は、両面搬送部３ｄを閉じて用紙を排出トレイ３４方向に導く位置を基本位置とし、両面印刷の際、回動してスイッチバックされた片面印刷済みの用紙を両面搬送部３ｄに導く。両面搬送部３ｄは、定着部５ｂの下流側とレジストローラー対３３の上流側とを結ぶ。両面搬送部３ｄには、両面印刷のため、回転駆動する複数の両面搬送ローラー対３７〜３９が設けられ、片面印刷済の用紙が搬送される。
【００４４】
（操作パネル１）
次に、図２を用いて、実施形態に係る操作パネル１の一例を説明する。図２は操作パネル１の一例を示す平面図である。
【００４５】
図１に示すように、操作パネル１は複合機１００の正面上方に設けられる。そして、操作パネル１は表示部１１、タッチパネル部１２、ハードキー（例えば、数字入力用のテンキー部１３やコピー等の処理開始指示用のスタートキー１４等）を含む。
【００４６】
例えば、表示部１１は液晶表示パネルである。表示部１１は有機ＥＬパネルなど他種の表示パネルでもよい。表示部１１は複合機１００の設定を行うためのメニューやキーを表示する。使用者は、表示部１１に表示されたキーを指定して、複合機１００の各種設定を入力できる。又、表示部１１は複合機１００等の状態メッセージ等の各種画像、画面を表示する。
【００４７】
又、表示部１１の上面にタッチパネル部１２が設けられる。タッチパネル部１２は使用者がタッチした位置、座標を検知する。キーの表示位置とタッチされた位置を比較することで、使用者が指定するキーが特定され、使用者の入力が受け付けられる。
【００４８】
タッチパネル部１２は同時にタッチされた複数の位置を認識できる。そのため、タッチパネル部１２には投影型の静電容量方式のタッチパネルを用いることができる。尚、同時にタッチされた複数の位置を認識できればよく、必ずしも、タッチパネル部１２は静電容量方式のものに限られない。
【００４９】
そして、本実施形態の表示部１１は切り取りとコピーと貼り付けの対象となる画像であるオブジェクト８を表示する。タッチパネル部１２を用いて、切り取り、コピー、貼り付けを行うことにより、切り取りやコピーを指示したオブジェクト８を別の画面に表示させることができる。オブジェクト８としては、電子付箋８１（文字列を含むメモ書きのような画像）や、データやファイルを示す画像などがある（詳細は後述）。
【００５０】
（複合機１００等のハードウェア構成）
次に、図３を用いて、実施形態に係る複合機１００や操作パネル１のハードウェア構成の一例を説明する。図３は複合機１００や操作パネル１のハードウェア構成の一例を示すブロック図である。
【００５１】
まず、複合機１００本体内には、主制御部６が設けられる。例えば、主制御部６は操作パネル１、原稿搬送部２ｂ、画像読取部２ａ、給紙部３ａ、搬送部３ｂ、画像形成部４、定着部５ｂ、排出搬送部３ｃ等と接続され、これらの制御を行う。
【００５２】
例えば、主制御部６はＣＰＵ６１等の制御を行う素子を含む。ＣＰＵ６１は記憶装置６２に格納され、展開される制御プログラムに基づき演算等を行い、複合機１００の各部を制御する。尚、主制御部６は全体制御や画像処理を行うメイン制御部や、画像形成や各種回転体を回転させるモータ等のＯＮ／ＯＦＦ等を行い、印刷を制御するエンジン制御部等、機能ごとに分割して複数種設けられてもよい。本説明では、これらの制御部を主制御部６としてまとめた形態を示し、説明する。
【００５３】
記憶装置６２は主制御部６と接続される。記憶装置６２はＲＯＭ、ＲＡＭ、ＨＤＤ等の不揮発性と揮発性の装置を組み合わせたものである。記憶装置６２は複合機１００の制御用プログラム、制御用データ、設定データ、画像データ等の各種データを記憶できる。
【００５４】
そして、主制御部６は各種コネクタ、ソケットやＦＡＸモデム等を備えたインターフェイス部（以下、通信部６３）と接続される。通信部６３はネットワークや公衆回線等により複数の外部のコンピューター２００（例えば、パーソナルコンピューターやサーバー）や相手方ＦＡＸ装置３００（図７では、いずれも便宜上１つのみ図示）と接続される。例えば、画像読取部２ａで得られた画像データを記憶装置６２に記憶させることや（ボックス機能）、外部のコンピューター２００や相手方ＦＡＸ装置３００に送信することができる（スキャナ機能、ＦＡＸ機能）。又、外部のコンピューター２００や相手方ＦＡＸ装置３００から送信され、複合機１００に入力される画像データに基づき印刷、ＦＡＸ送信等を行うこともできる（プリンター機能、ＦＡＸ機能）。
【００５５】
又、例えば、主制御部６には、画像読取部２ａで原稿を読み取って得られた画像データや通信部６３を介して複合機１００に入力された画像データに対し、画像処理を施す画像処理部６４が設けられる。例えば、画像処理部６４が処理した画像データは露光装置４１に送信され、感光体ドラムの走査・露光に用いられたり、記憶装置６２に記憶されたりする。
【００５６】
又、主制御部６は、操作パネル１になされた入力を認識し、使用者の設定にあわせてコピーやスキャンなどのジョブが行われるように複合機１００を制御する。本実施形態の操作パネル１はパネル制御部１０、表示部１１、タッチパネル部１２、ハードキー（例えば、テンキー部１３やスタートキー１４）、メモリー１５、ドライバ回路１６、等を含む。パネル制御部１０はＣＰＵやＩＣ等で構成される。パネル制御部１０は表示部１１の表示を制御し、タッチパネル部１２の出力を受け、タッチされた位置（座標）を特定する。タッチパネル部１２の出力と位置（座標）の対応を示すテーブル等のデータは、メモリー１５に記憶される。メモリー１５はＲＯＭやＲＡＭを含む。パネル制御部１０はタッチ位置とタッチされたときの表示部１１が表示していた画面の画像データを比較し、タッチされた位置に表示されていたキーを認識する。これにより、パネル制御部１０は使用者により指定されたキーを認識する。
【００５７】
通常の操作において、複合機１００の各機能を選択し、選択した機能で設定可能な設定項目（例えば、コピー機能であれば、拡大縮小や濃度や集約や両面等）を選択し、選択した設定項目で設定値を設定するには、表示部１１における最上層の表示（ホーム画面７、図４参照）から、表示部１１に表示されるキーの指定（選択）を繰り返す。そして、キーの指定（選択）ごとに表示部１１の表示画面を切り換え、最終的に、設定しようとする機能の設定値が設定される。この機能の選択、設定が行われたことをパネル制御部１０は認識し、その内容を本体の主制御部６に送信する。これにより、主制御部６は使用者の意思が印刷等のジョブで反映されるように操作パネル１で選択、設定された機能を反映した動作を画像形成部４等の各部に行わせる。
【００５８】
そして、表示部１１で表示される画面、画像の画像データは、例えば、操作パネル１内のメモリー１５が記憶する。従って、パネル制御部１０はタッチされた位置に表示されたキーに応じ、次に表示すべき画面や画像の画像データをメモリー１５から読み出す。尚、表示部１１が表示する画面、画像の画像データは本体側の記憶装置６２に記憶させてもよい。この場合、操作パネル１は表示部１１で表示を行うための画像データを、主制御部６を介し記憶装置６２から受ける。いずれにしても、パネル制御部１０は表示部１１の表示を実際に制御するドライバ回路１６（例えば、表示部１１が液晶表示パネルであれは、液晶ドライバＩＣ）に指示を与え、画像データに基づき表示部１１に表示を行わせる。尚、操作パネル１には、パネル制御部１０、メモリー１５を設けず、主制御部６の構成（ＣＰＵ６１や記憶装置６２）が、パネル制御部１０やメモリー１５の機能を代用しても良い。
【００５９】
又、タッチパネル部１２にはタッチされた位置を検知するための位置検知部１２１が設けられる。例えば、位置検知部１２１はタッチ位置（タッチされた点の座標）を検知するためのＩＣである。例えば、タッチパネル部１２が静電容量方式で投影型のパネルを含むのであれば、位置検知部１２１はタッチパネル部１２で静電容量の変化を検知し、１又は複数の同時にタッチされた位置を示す信号を出力する。パネル制御部１０は位置検知部１２１の出力に基づき、タッチされた位置を認識する。
【００６０】
（ホーム画面７と機能の選択）
次に図４を用いて、本実施形態の操作パネル１に表示されるホーム画面７を説明する。図４は操作パネル１に表示されるホーム画面７の一例を示す説明図である。
【００６１】
本実施形態の操作パネル１では、用いる機能を選択するためのホーム画面７が設けられる。ホーム画面７は階層的に最上位の階層にあたる。例えば、操作パネル１に設けられたクリアキー１７やリセットキー１８が押されたとき（図２参照）、パネル制御部１０はホーム画面７を表示部１１に表示させる。又、例えば、操作パネル１に対する入力（タッチパネル部１２へのタッチやハードキーを押す操作）が無くなってから予め定められた時間の経過や、ジョブの完了により、パネル制御部１０は現状の設定内容を破棄しホーム画面７を表示部１１に表示させてもよい（オートクリア）。
【００６２】
例えば、ホーム画面７では、機能選択キーとして、コピーキーＫ１、アプリケーションキーＫ２、ボックスキーＫ３、プログラムキーＫ４、スキャン送信キーＫ５、状況確認キーＫ６が設けられる。タッチパネル部１２はタッチされた位置を示すデータ（信号）をパネル制御部１０に出力する。パネル制御部１０はタッチパネル部１２の出力モードに基づき、タッチされた位置に表示されている機能選択キーの機能が指定されたと認識する。そして、指定された機能の初期設定画面を表示する。例えば、コピー機能が指定されたと認識したとき、パネル制御部１０はコピー機能の初期設定画面７１を表示する。このように、使用者はホーム画面７で使用する機能を選択できる。
【００６３】
（電子付箋８１）
次に、図５〜図７を用いて、オブジェクト８としての電子付箋８１を説明する。図５は電子付箋８１を貼り付けたコピー機能の初期設定画面７１の一例を示す説明図である。図６は電子付箋８１を貼り付けたスキャン送信機能の初期設定画面７２の一例を示す説明図である。図７はソフトウェアキーボード画面７３の一例を示す説明図である。
【００６４】
上述のように、オブジェクト８とは切り取りやコピーと貼り付けの対象となる画像、データである。タッチパネル部１２への入力により貼り付けを行うことで、もともとオブジェクト８が表示されていた画面とは異なる画面に切り取りやコピーを指示したオブジェクト８を新たに表示させることができる。
【００６５】
そして、図５〜図７を用いて、オブジェクト８の一例としての電子付箋８１を説明する。尚、電子付箋８１とは、表示部１１が表示する画像であり、付箋紙のように画面に貼り付けられ、注意書きなどのテキストデータを含む画像である。
【００６６】
電子付箋８１を説明する上で、まず、図５に示すコピー機能の設定画面の一例を説明する。図５に示すコピー機能の初期設定画面７１はホーム画面７でコピーキーＫ１が押されると、パネル制御部１０が最初に表示部１１に表示させる画面である。
【００６７】
図５に示すように、例えば、コピー機能の初期設定画面７１には、よく用いられる設定項目の設定を行うための複数の簡単設定キーＫ７〜Ｋ１２が設けられる。図５では、「用紙選択」の設定項目の簡単設定キーＫ７や「拡大／縮小」の設定項目の簡単設定キーＫ８等が表示されている例を示している。
【００６８】
又、初期設定画面７１に表示されない設定項目（例えば、枠消しの設定項目や余白の設定項目や読取解像度の設定項目や原稿種類の設定項目など多数）を設定するには、簡単設定タブＴＢ１に並ぶ原稿／用紙／仕上げタブＴＢ２や、カラー／画質タブＴＢ３や、レイアウト編集タブＴＢ４や、応用／その他タブＴＢ５やプログラムタブＴＢ６が表示されている位置をタッチする。それぞれの設定項目はいずれかのタブに予め関連づけられる。タブが表示された位置がタッチされると、パネル制御部１０はタッチにより指定されたタブに関連づけられた設定項目を示す設定キーを一覧的に表示した設定画面を表示部１１に表示させる。
【００６９】
例えば、原稿／用紙／仕上げタブＴＢ２が表示された位置がタッチされると、パネル制御部１０は原稿サイズや用紙サイズや、原稿や用紙の向きや、給紙元など、原稿や用紙に関する設定項目を示す設定キーを表示する画面を表示部１１に表示させる。カラー／画質タブＴＢ３が表示された位置がタッチされると、パネル制御部１０は印刷色（カラーかモノクロか等）や、解像度や、各色（ブラック、シアン、マゼンタ、イエロー）の濃淡調整など、色や画質に関する設定項目を示す設定キーを表示する画面を表示部１１に表示させる。又、レイアウト編集タブＴＢ４が表示された位置がタッチされると、パネル制御部１０は集約印刷や両面印刷など、画像の配置や画像データの編集に関する設定項目を示す設定キーを表示する画面を表示部１１に表示させる。又、応用／その他タブＴＢ５が表示された位置がタッチされると、パネル制御部１０は余白の大きさや枠消し処理など、応用的な内容に関する設定項目を示す設定キーを表示する画面を表示部１１に表示させる。
【００７０】
そして、使用者はタブの表示位置をタッチし、その後に表示されたいずれかの設定項目の設定キーの表示位置をタッチし、設定項目を指定する。これにより、パネル制御部１０は指定された設定項目の設定画面を表示する。例えば、集約印刷の設定項目を指定したとき、集約印刷の設定画面では、２ｉｎ１や４ｉｎ１などの設定値や境界線の種別などの設定値を設定することができる。このように、設定画面を切り替えつつ、使用者は所望の設定項目について設定値を設定できる。
【００７１】
次に、図６に示すスキャン送信機能の設定画面の一例を説明する。図６に示すスキャン送信機能の初期設定画面７２はホーム画面７でスキャン送信キーＫ５が押されると、パネル制御部１０が最初に表示部１１に表示させる画面である。
【００７２】
スキャン送信機能はジョブ開始に伴い画像読取部２ａに原稿を読み取らせ、読み取りで得られた原稿の画像データを、Ｅメールとして送信したり、所望のコンピューター２００に送信したり、ＦＡＸ装置３００に送信したりする機能である。
【００７３】
スキャン送信機能の初期設定画面７２として、例えばパネル制御部１０はアドレス帳を表示部１１に表示させる。アドレス帳のデータは操作パネル１のメモリー１５や本体の記憶装置６２に記憶される。そして、パネル制御部１０はアドレス帳を表示するとき、アドレス帳のデータをメモリー１５や記憶装置６２から読み出す。
【００７４】
スキャン送信機能の初期設定画面７２では、宛先名称や宛先情報を一覧として表示する宛先一覧表示領域Ｒ１が設けられる。宛先一覧表示領域Ｒ１内をタッチすることにより、送信したい宛先を指定することができる。そして、宛先を指定した後、送信方法指定キー群ＫＧ１のうち、送信したい方法のキーの表示位置をタッチすることで、送信方法を指定することができる。送信方法が指定されると、パネル制御部１０は送信方法に応じ、送信を行ううえで詳細を設定するための設定画面（例えば、送信する画像データのサイズなどを設定するための画面）を表示させ、送信に関する使用者に設定を行わせる。
【００７５】
次に、電子付箋８１の作成を説明する。電子付箋８１を作成する場合、使用者は電子付箋８１を新規に付したい画面（設定画面）で予め定められた入力を操作パネル１に行う。例えば、同じ位置の複数回（例えば、２回や３回）のタッチや、２点タッチの位置を動かさないままの長押しなど、電子付箋８１の作成や貼り付けのためのタッチパネル部１２へのタッチ方法を予め定めてもよい。又、操作パネル１に電子付箋８１を作成し、画面に付すモードを呼び出すためのハードキーが操作パネル１に設けられてもよい。
【００７６】
タッチパネル部１２の出力等に基づき、パネル制御部１０が電子付箋８１を作成する旨の指示入力を認識すると、パネル制御部１０は表示部１１に図７に示すようなソフトウェアキーボード画面７３を表示部１１に表示させる。タッチパネル部１２は表示された文字や記号などのキーに対するタッチを受け付ける。パネル制御部１０はタッチパネル部１２の出力に基づき、タッチされた位置に表示されたキーを認識し、入力内容（入力された文字や数字や記号）を認識する。又、タッチパネル部１２は入力内容の修正や削除も受け付ける。これにより、使用者はソフトウェアキーボード画面７２を用いて、電子付箋８１内に表示させる漢字、かな文字、カタカナ、アルファベット、数字、各種記号を手入力できる。
【００７７】
そして、電子付箋８１を閉じれば、パネル制御部１０はソフトウェアキーボード画面７３での入力内容を含む電子付箋８１を、電子付箋８１の作成を指示した画面に表示させる。図５では、表示部１１がコピー機能の初期設定画面７１の右上に「原稿と用紙サイズと倍率を確認」の文字列を含む電子付箋８１と、「両面、集約を原則使用すること」の文字列を含む電子付箋８１を表示している例を示している。又、図６では、表示部１１がスキャン送信機能の初期設定画面７２の右上に「送信先は必ず再確認  送信ミスを無くそう」の文字列を含む電子付箋８１を表示している例を示している。
【００７８】
使用者は電子付箋８１をタッチし、タッチしている位置をずらすことにより所望の位置に電子付箋８１の表示位置を設定することができる。言い換えると、パネル制御部１０はタッチパネル部１２の出力に基づき、電子付箋８１の表示位置がタッチされ、タッチしたままタッチ位置が移動させられた操作（ドラッグアンドドラッグ操作）を認識し、タッチ位置の移動にあわせて表示部１１にタッチされた電子付箋８１の表示位置を移動させる。
【００７９】
例えば、操作パネル１のメモリー１５は作成された電子付箋８１ごとに、表示すべき画面や、画面での表示位置（座標）や、電子付箋８１に含まれる内容（文字列等）を記憶する。そして、表示部１１の表示切り替えがあったとき、パネル制御部１０はメモリー１５の記憶内容を確認し、表示すべき電子付箋８１の有無を確認する。表示すべき電子付箋８１があれば、パネル制御部１０は表示部１１に表示させる。このように、パネル制御部１０は特定の画面が表示されるたび、特定の電子付箋８１を表示部１１に表示させる。
【００８０】
尚、各電子付箋８１内には（電子付箋８１の画像の領域内には）、×印が表示される。タッチパネル部１２が×印の表示位置がタッチされたことを受け付けると、パネル制御部１０は×印がタッチされた電子付箋８１の表示を表示部１１にやめさせる。これにより、使用者は不要な電子付箋８１を消すことができる。
【００８１】
（データを示す画像やフォルダーを示す画像）
次に、図８、図９を用いて、オブジェクト８としてのデータを示す画像（以下、便宜上「データ画像８２」と称する）やフォルダーを示す画像（以下、便宜上「フォルダー画像８３」と称する）を説明する。図８はボックス機能の初期設定画面７４の一例を示す説明図である。図９はデータを示す画像やフォルダーを示す画像が表示されたボックス画面７５の一例を示す説明図である。
【００８２】
データ画像８２やフォルダー画像８３を説明する上で、まず、図８と図９に示すボックス機能の各種設定画面の一例を説明する。ホーム画面７でボックスキーＫ３の表示位置がタッチされ、ボックス機能が指定されたとき、パネル制御部１０はボックス機能の最初の設定画面として、図８に示す初期設定画面７４を表示部１１に表示させる。記憶装置６２（ＨＤＤ）の記憶領域の一部がボックス機能用に割り当てられる。そして、割り当てられた記憶領域をボックス単位で仮想的に分割する。例えば、使用者はボックス内に画像データを記憶させたり、ボックス内に記憶させた画像データを再利用（印刷や送信等）したりすることができる。
【００８３】
初期設定画面７４ではボックス名一覧表示領域Ｒ２が設けられる。ボックス名一覧表示領域Ｒ２内をタッチすることにより、用いたいボックスを指定することができる。そして、ボックスを指定した後、文書保存キーＫ１３の表示位置をタッチすることで、画像読取部２ａで原稿を読み取ることにより得られた画像データを指定したボックス（記憶装置６２のＨＤＤ）内に記憶させることができる。尚、文書保存キーＫ１３が指定されると、パネル制御部１０はスキャン内容の設定画面（例えば、解像度や原稿サイズや読み取りで得られる画像データのサイズを設定するための画面）を表示させ、使用者に原稿読み取りや画像データのボックスへの格納に関する設定を行わせる。又、ボックスを指定した後、開くキーＫ１４の表示位置をタッチすることで、ボックス内に格納されている画像データ等の印刷や送信を行うことができる。
【００８４】
そして、ボックスが指定された状態で開くキーＫ１４が指定されると、図９に示すように、パネル制御部１０は指定されたボックスに格納されたデータの利用（印刷や送信）に関する設定画面であるボックス画面７５を表示させ、ボックス内のデータの再利用に関する設定を行わせる。
【００８５】
パネル制御部１０はボックス画面７５内に、ボックスに格納されたデータを示すデータ画像８２や、ボックス内で作成されたフォルダーを示すフォルダー画像８３を表示部１１に表示させる。データ画像８２はデータを示すアイコンや文書名や生成日時やサイズを示す画像を含む。又、フォルダー画像８３はアイコンやフォルダー名を示す画像を含む。
【００８６】
タッチパネル部１２はデータ画像８２やフォルダー画像８３の表示位置へのタッチにより、用いるデータやフォルダーを指定する入力を受け付ける。例えば、パネル制御部１０はタッチパネル部１２の出力に基づき、用いると指定されたデータ画像８２を白黒反転状態で表示部１１に表示させる。又、パネル制御部１０はタッチパネル部１２の出力に基づき、フォルダー画像８３の表示位置がタッチされたことを認識すると、フォルダーに含まれるデータを示すデータ画像８２を新たに表示部１１に表示させる。
【００８７】
又、ボックス画面７５内には、印刷キーＫ１５や送信キーＫ１６やプレビューキーＫ１７やフォルダー作成キーＫ１８などが配される。用いるデータが指定された状態で印刷キーＫ１５の表示位置がタッチされたことをタッチパネル部１２が受け付けると、主制御部６は給紙や用紙搬送や画像形成を制御して、指定されたデータ画像８２に対応するデータに基づいた印刷を行わせる。用いるデータが指定された状態で送信キーＫ１６の表示位置がタッチされたことをタッチパネル部１２が受け付けると、主制御部６は画像処理部６４や通信部６３を制御して、指定されたデータ画像８２に対応するデータの送信を行わせる。用いるデータが指定された状態でプレビューキーＫ１７の表示位置がタッチされたことをタッチパネル部１２が受け付けると、パネル制御部１０は指定されたデータ画像８２に対応するデータの内容を示すプレビュー画像を表示部１１に表示させる。フォルダー作成キーＫ１８の表示位置がタッチされたことをタッチパネル部１２が受け付けると、パネル制御部１０は図７に示すようなソフトウェアキーボード画面７３を表示し、ソフトウェアキーボード画面７３で設定されたフォルダー名のフォルダーを作成し作成されたフォルダー名のフォルダー画像８３を表示部１１に表示させる。
【００８８】
尚、各種設定画面は多様であるので便宜上、コピー機能とスキャン送信機能とボックス機能の一部の設定画面のみについて説明した。しかし、図示はしないが、アプリケーション機能が指定されると、パネル制御部１０は記憶装置６２にインストールされたアプリケーションの呼び出しや設定を行うための初期設定画面を表示部１１に表示させる。例えば、アプリケーションは複合機１００の使いやすさを高めるためのプログラムやデータである。例えば、名刺等の原稿をスキャンした画像データのテキストデータ化やデータベース化を行うアプリケーションや、原稿をスキャンしたデータの電子文書化を行うアプリケーションなど、目的に合わせ多様なアプリケーションがある。
【００８９】
又、プログラム機能が指定されると、パネル制御部１０は予め定められたプログラムの呼び出し（起動）や、プログラムの作成を行うための初期設定画面を表示部１１に表示させる。プログラムは操作パネル１での１又は複数の設定項目の設定値を予め定義したものである。例えば、良く組み合わせて用いられる各設定項目の設定値がプログラムとして予め定義される（予め登録される）。プログラムを呼び足すことで、パネル制御部１０は呼び出されたプログラムで定義された各設定項目の設定値で設定がなされたと認識する。これにより、１タッチで複数の設定項目の設定値を設定した状態とすることができる。
【００９０】
又、状況確認キーＫ６が指定されると、パネル制御部１０は複合機１００の状態を表示するための状態表示画面を表示部１１に表示させる。例えば、パネル制御部１０は状態表示画面内に、印刷中や原稿読み取り中など、実行中のジョブの内容を表示部１１に表示させる。又、パネル制御部１０は状態表示画面内に累計印刷枚数や各給紙部３ａでの用紙残量などを表示部１１に表示させてもよい。あるいは、パネル制御部１０は記憶装置６２の使用量や残容量など、複合機１００内の装置、部分に関する状態を表示部１１に表示させてもよい。
【００９１】
（オブジェクト８の指定、切り取りとコピーの選択）
次に、図１０、図１１を用いて、切り取りやコピーを行うオブジェクト８の指定の一例を説明する。図１０はオブジェクト８の指定と、切り取りとコピーの選択の概要を示す説明図である。図１１は、切り取りやコピーを行うオブジェクト８の指定の流れの一例を示すフローチャートである。
【００９２】
上述のように、本実施形態の操作パネル１、複合機１００では、切り取り、コピー、貼り付けが可能な画像（オブジェクト８）として、電子付箋８１やデータ画像８２やフォルダー画像８３がある。尚、電子付箋８１、データ画像８２、フォルダー画像８３以外の画像をオブジェクト８として扱ってもよい。
【００９３】
そして、本実施形態の操作パネル１、複合機１００では、直感的に簡易に、切り取りやコピーするオブジェクト８を指定し、指定したオブジェクト８を任意の画面に貼り付けることができる。そこで、まず、図１０を用いて、オブジェクト８の指定と、指定オブジェクト８０の切り取りとコピーの選択の概要を説明する。
【００９４】
まず、切り取りやコピーを行うオブジェクト８を指定するとき、使用者はオブジェクト８の表示位置を２点タッチする。このとき、図１０の最上段の左側に示すように、タッチパネル部１２は２つのタッチ位置の両方がオブジェクト８の表示される範囲に含まれるような２点タッチを、オブジェクト８の指定と受け付けてもよい。又、データ画像８２やフォルダー画像８３のように、オブジェクト８が小さい場合や同時に２点タッチしにくい場合もある。そこで、図１０の最上段の右側に示すように、タッチパネル部１２は２つのタッチ位置のうち、少なくとも一方がオブジェクト８の表示される範囲に含まれるような２点タッチを、オブジェクト８の指定と受け付けてもよい。このように、同時に２点のタッチがあったとき、タッチパネル部１２はタッチされた２点の両方又は一方の位置に表示されたオブジェクト８を指定する入力として受け付ける。尚、指定されたオブジェクト８を「指定オブジェクト８０」と称する。
【００９５】
そして、図１０の中段の図に示すように、使用者はタッチされた２点の間隔を狭める操作（第１操作）により、指定オブジェクト８０の切り取り又はコピーを指示する（選択する）。タッチされた２点の間隔（距離）はタッチされた２点の座標の差に基づき求めることができる。例えば、Ｘ軸方向（左右方向）の距離の差の２乗とＹ軸方向（上下方向）の距離の差の２乗の和の平方根をとり、２点間の間隔を求めることができる。
【００９６】
そして、本実施形態の説明では、タッチパネル部１２はタッチされた２点の間隔を狭める操作（第１操作）により間隔が狭められたときの２点の間隔（距離）が閾値以下であれば、指定オブジェクト８０を切り取る入力として受け付け、２点の間隔（距離）が閾値を超えれば、指定オブジェクト８０をコピーする入力として受け付ける。尚、タッチパネル部１２は第１操作により間隔が狭められたときの２点の間隔（距離）が閾値以下であれば、指定オブジェクト８０をコピーする入力として受け付け、２点の間隔（距離）が閾値を超えれば、指定オブジェクト８０を切り取る入力として受け付けてもよい。このように、使用者はタッチされた２点を狭める量に応じて、指定オブジェクト８０を切り取るかコピーするかを選択できる。
【００９７】
第１操作によりタッチされた２点の間隔（距離）は変化するので、閾値と比較する２点の間隔は２本の指が離されたときの２点の間隔（距離）としてもよい。あるいは、最も間隔が狭められたときのタッチされた２点の距離が閾値と比較されてもよい。そして、閾値は任意に定めることができる値である。又、閾値は固定の値でもよいが、２点同時にタッチパネル部１２をタッチするときの指と指の間隔には個人差があるので、閾値は最初にタッチされた２点の間隔（距離）に応じて変化させてもよい（例えば、閾値は最初にタッチされた２点の間隔の１／２とする）。
【００９８】
そして、タッチした２点のいずれもがタッチパネル部１２から離されたとき、指定オブジェクト８０と、切り取り又はコピーの確定がなされる。例えば、図１０の最下段の左側に示すように、指定オブジェクト８０をつまみ上げるように、タッチされた２点の間隔を閾値以下として、２本の指をタッチパネル部１２から離されたことをタッチパネル部１２は指定オブジェクト８０の切り取り入力として受け付ける。このように実際に物をつかむような操作により指定オブジェクト８０の切り取り操作を行うことができる。又、例えば、図１０の最下段の右側に示すように、指定オブジェクト８０を軽くつまみ２点の間隔が閾値以下とならないように、タッチされた２点の間隔をある程度保ちつつ、２本の指がタッチパネル部１２から離されたことをタッチパネル部１２は指定オブジェクト８０のコピー入力として受け付ける。このように実際に物を持ったまま移動させるような操作により指定オブジェクト８０のコピー操作を行うことができる。
【００９９】
指定オブジェクト８０の切り取りが行われたとき、表示部１１は切り取りが指示された指定オブジェクト８０を表示しなくなる。尚、指定オブジェクト８０のコピーが行われたとき、表示部１１はコピーが指示された指定オブジェクト８０を表示し続ける。
【０１００】
そして、指定オブジェクト８０の切り取りやコピーがなされたとき、操作パネル１のメモリー１５は指定オブジェクト８０に関する情報（指定されたオブジェクト８の内容や、オブジェクト８を指定した画面や、オブジェクト８を指定した時間などの情報）や切り取りかコピーかの種別を示す情報を記憶する。
【０１０１】
次に、図１１を用いて、オブジェクト８の指定と指定オブジェクト８０の切り取りやコピーの選択の処理の流れの一例を説明する。図１１のスタートは複合機１００の主電源投入後、表示部１１が表示をしている状態で、オブジェクト８の表示位置に対してなされた２点タッチをタッチパネル部１２が受け付け、パネル制御部１０がタッチパネル部１２の出力に基づき、オブジェクト８の表示位置に対する２点タッチが行われたことを認識した時点である。
【０１０２】
まず、パネル制御部１０は２点タッチにより指定されたオブジェクト８を指定オブジェクト８０として認識する（ステップ♯１１）。又、タッチパネル部１２の出力に基づき、パネル制御部１０は最初にタッチされた２点の位置（座標）を認識し、最初にタッチされた２点の間隔（距離）を求め、求めた間隔から閾値を定める（ステップ♯１２）。例えば、閾値は最初にタッチされた２点の間隔の数分の１とされる。尚、閾値に固定値を用いる場合、最初にタッチされた２点の間隔（距離）を求める必要はない。
【０１０３】
そして、パネル制御部１０はタッチパネル部１２の出力に基づき、タッチされた２点の現在位置を認識する（ステップ♯１３）。更に、パネル制御部１０はタッチパネル部１２の出力に基づき、タッチパネル部１２のいずれの点もタッチされなくなったか否か（タッチされた点が無くなったか否か）を確認する（ステップ♯１４）。
【０１０４】
もし、タッチパネル部１２からいずれの指も離されていなければ（ステップ♯１４のＮｏ）、フローはステップ♯１３に戻る。一方、タッチパネル部１２からいずれの指も離され、タッチされた点が無くなれば（ステップ♯１４のＹｅｓ）、パネル制御部１０はタッチパネル部１２の出力に基づき、２本の指が離されたときの２点のタッチ位置の間隔を求める（ステップ♯１５）。尚、パネル制御部１０は、２本の指が離されたときではなく、２点タッチがあってから（オブジェクト８の指定があってから）、２本の指が離されたときまでに最もタッチされた２点の間隔が短くなったときの間隔を求めてもよい。
【０１０５】
そして、パネル制御部１０は２本の指が離されたときまでにタッチされていた２点のタッチ位置の間隔が閾値以下であるか否かを確認する（ステップ♯１６）。もし、閾値以下であれば（ステップ♯１６のＹｅｓ）、パネル制御部１０は指定オブジェクト８０の切り取りと認識する（ステップ♯１７）。そして、パネル制御部１０は切り取りが指示された指定オブジェクト８０の表示を消させる（ステップ♯１８）。更に、パネル制御部１０は指定されたオブジェクト８に関する情報をメモリー１５に記憶させる（ステップ♯１９）。オブジェクト８の指定と切り取り又はコピーの選択の処理は終了する（エンド）一方、閾値を超えれば（ステップ♯１６のＮｏ）、パネル制御部１０は指定オブジェクト８０のコピーと認識する（ステップ♯１１０）。そして、ステップ♯１９に移行する。
【０１０６】
（オブジェクト８の貼り付けの流れ）
次に、図１２〜図１５を用いて、指定オブジェクト８０の貼り付けの一例を説明する。図１２は指定オブジェクト８０の貼り付けの指定の概要を示す説明図である。図１３は指定オブジェクト８０を貼り付けるか否かを確認するためのダイアログ画面９１の一例を示す説明図である。図１４は複数の指定オブジェクト８０のうち貼り付けるオブジェクト８を選択する選択画面９２の一例を示す説明図である。図１５は指定オブジェクト８０の貼り付け処理の流れの一例を示すフローチャートである。
【０１０７】
上述のように、本実施形態の操作パネル１、複合機１００では、切り取りやコピーするオブジェクト８を指定することができる。そして、本実施形態の操作パネル１、複合機１００では、直感的に簡易に、指定したオブジェクト８を所望の（任意の）画面（設定画面）に貼り付けることができる。例えば、コピー機能の設定画面で切り取りやコピーした電子付箋８１を、スキャン送信やプログラム機能やボックス機能などの他の機能の設定画面に貼り付けることができる。又、あるボックス画面７５で切り取りやコピーしたデータ画像８２やフォルダー画像８３を他のボックスの画面で貼り付けることで、貼り付けたデータ画像８２やフォルダー画像８３に対応するデータを、他のボックスに格納された状態とすることができる。
【０１０８】
まず、図１２を用いて指定オブジェクト８０の貼り付けの概要を説明する。指定オブジェクト８０の貼り付けを開始するとき、図１２の最上段の図に示すように、使用者はタッチパネル部１２を２点タッチする。図１２の最上段の図に示すように、指定オブジェクト８０を貼り付けるとき、使用者はタッチパネル部１２のうちオブジェクト８が表示されていない位置を２点タッチする。
【０１０９】
そして、使用者はタッチした２点の間隔を広げる操作（第２操作）を行う。タッチパネル部１２は第２操作を、指定オブジェクト８０を貼り付ける指示として受け付ける。これにより、図１２の上から２段目の図に示すように、表示部１１は切り取り又はコピーが指定されたオブジェクト８を表示する（貼り付け表示する）。このように、指を開くことにより指定オブジェクト８０が表示部１１に展開され、直感的に指定オブジェクト８０の貼り付けを行うことができる。
【０１１０】
そして、図１２の上から３段目の図に示すように、使用者は２点タッチした指を移動させることにより、貼り付けた指定オブジェクト８０の表示位置を移動させることができる。言い換えると、表示部１１はタッチパネル部１２で検知された２点の移動量と方向に応じて貼り付けられた指定オブジェクト８０の表示位置を変える。例えば、表示部１１はタッチされた２点のうち、１点の移動と同じ量だけ指定オブジェクト８０の中心位置を移動させるように指定オブジェクト８０の表示位置を変える。
【０１１１】
そして、図１２の最下段の図に示すように、タッチした２点のいずれもがタッチパネル部１２から離されたとき、指定オブジェクト８０の貼り付けの確定がなされる。このように、開いた後放す操作により指定オブジェクト８０の貼り付けを行うことができる。
【０１１２】
次に、図１３を用いて、指定オブジェクト８０の貼り付けを行うか否かのダイアログ画面９１の表示を説明する。指定オブジェクト８０の貼り付けでは、タッチパネル部１２は２点を同時にタッチと２点の間隔を広げる第２操作を指定オブジェクト８０の貼り付け指示として受け付ける。これにより、表示部１１は未確定状態の指定オブジェクト８０を表示（貼り付け表示）する。
【０１１３】
しかし、タッチされた２点の間隔を広げる第２操作を行ったからといって、使用者は指定オブジェクト８０を貼り付けたいとは限らない。例えば、第２操作が指定オブジェクト８０の貼り付け以外の操作に割り当てられている場合、特に、第２操作を行ったからといって、使用者は指定オブジェクト８０を貼り付けたいとは限らない。
【０１１４】
図１３はボックス画面７５等でプレビューキーＫ１７の表示位置がタッチされた場合や、コピーのときなどの表示部１１が表示するプレビュー画像表示画面７６の一例を示す。プレビュー画像を表示する場合、画像処理部６４は記憶装置６２に記憶されたデータや画像読取部２ａの読み取りで得られた画像データを縮小して、プレビュー画像表示用の画像データを生成する。パネル制御部１０はプレビュー画像表示用の画像データを受信し、表示部１１にプレビュー画像を表示させる。
【０１１５】
本実施形態の操作パネル１では、細かな確認ができるように、プレビュー画像の拡大を行うことができる。そして、タッチパネル部１２は表示されたプレビュー画像上を、２点タッチし、タッチした２点の間隔を広げる操作（第２操作）をプレビュー画像の拡大指示として受け付ける。
【０１１６】
このように、タッチした２点の間隔を広げる操作（第２操作）が指定オブジェクト８０の貼り付け以外の操作（プレビュー画像の拡大表示）に割り当てられているとき、第２操作が行われると、図１３に示すように、表示部１１は指定オブジェクト８０を貼り付けるか否かを確認するためのダイアログ画面９１を表示する。
【０１１７】
ダイアログ画面９１には、ＹｅｓキーＫ１９とＮｏキーＫ２０が表示される。タッチパネル部１２はＹｅｓキーＫ１９が表示された位置へのタッチを指定オブジェクト８０の貼り付け実行指示として受け付ける。又、タッチパネル部１２はＮｏキーＫ２０が表示された位置へのタッチを指定オブジェクト８０の貼り付けない指示として受け付け、指定オブジェクト８０の貼り付け以外の操作が実行される。
【０１１８】
尚、表示されたダイアログ画面９１でＹｅｓキーＫ１９やＮｏキーＫ２０の表示位置をタッチするとき、タッチした２点をタッチパネル部１２からいったん離す必要がある。ダイアログ画面９１を表示するとき、タッチパネル部１２からタッチした２点の両方を離すことを、タッチパネル部１２は指定オブジェクト８０の貼り付けの確定とは受け付けない。
【０１１９】
そして、ダイアログ画面９１でＹｅｓキーＫ１９と表示された位置がタッチされると、指定オブジェクト８０の貼り付けが確定し、表示部１１は指定オブジェクト８０を表示する。又、ダイアログ画面９１でＮｏキーＫ２０と表示された位置がタッチされると指定オブジェクト８０の貼り付けは行われない。タッチした２点の間隔を広げる操作（第２操作）が指定オブジェクト８０の貼り付け以外の操作（プレビュー画像の拡大表示）に割り当てられているとき、表示部１１は指定オブジェクト８０の貼り付け以外の操作の結果を表示する。
【０１２０】
尚、タッチした２点の間隔を広げる操作（第２操作）が指定オブジェクト８０の貼り付け以外の操作に割り当てられていなくても、第２操作が行われると、第２操作があったとき表示部１１は必ずダイアログ画面９１を表示するようにしてもよい。
【０１２１】
又、指定オブジェクト８０の指定がなされてから直ぐに第２操作がなされたのであれば、指定オブジェクト８０の貼り付けである可能性が高い。そこで、指定オブジェクト８０が指定されてから予め定められた時間内であれば（例えば、オブジェクト８の指定がなされてから数十秒から数分。例えば、パネル制御部１０が計時）、表示部１１はダイアログ画面９１を表示せず、タッチパネル部１２は第２操作を指定オブジェクト８０の貼り付け指示として受け付けてもよい。
【０１２２】
又、オブジェクト８を指定した後、第１操作によるコピーや切り取りの指示は複数回繰り返して行うことができる。そのため、タッチパネル部１２がタッチした２点の間隔を広げる操作（第２操作）を受け付けたとき、指定されたオブジェクト８のうち、いずれの指定オブジェクト８０を貼り付けるかが問題となる。そこで、タッチパネル部１２が第２操作を受け付けたとき、表示部１１は第２操作の直前に切り取りやコピーが指定されたオブジェクト８（最後に指定された指定オブジェクト８０）を貼り付け表示してもよい。
【０１２３】
又、切り取りやコピーを行うオブジェクト８の指定が複数ある状態で、タッチパネル部１２が第２操作を受け付けたとき、表示部１１は図１４に示すような選択画面９２を表示してもよい。表示部１１は複合機１００の電源が投入されてから、省電力モードから復帰してから、あるいは、現在から予め定められた記憶時間遡った時間内に指定されたオブジェクト８を選択画面９２に表示する。例えば、表示部１１は各指定オブジェクト８０の指定された時間や指定されたときの画面など、指定オブジェクト８０の内容を示す情報を選択画面９２に表示する。又、表示部１１は各指定オブジェクト８０の種類（例えば、電子付箋８１やデータ画像８２の種別）を表示してもよい。
【０１２４】
使用者は選択画面９２に表示された指定オブジェクト８０のうち、貼り付けを行いたい指定オブジェクト８０の表示位置をタッチする。タッチがあると、タッチパネル部１２はタッチされた位置に表示された指定オブジェクト８０の貼り付けの実行指示として受け付ける。尚、選択画面９２で貼り付けたい指定オブジェクト８０の表示位置をタッチするとき、タッチした２点のいずれもがタッチパネル部１２からいったん離す必要がある。そのため、選択画面９２を表示するとき、タッチパネル部１２からタッチした２点の両方を離すことを、タッチパネル部１２は指定オブジェクト８０の貼り付けの確定とは受け付けない。
【０１２５】
次に、図１５を用いて指定オブジェクト８０の貼り付け処理の流れの一例を説明する。尚、図１５では複数の指定オブジェクト８０が指定されているとき、直前に指定された指定オブジェクト８０を貼り付けるのではなく、選択画面９２を表示する場合を説明する。
【０１２６】
まず、図１５のスタートは主電源投入後、表示部１１が表示をしている状態で、指定オブジェクト８０の指定がすでになされており、２点タッチとタッチされた２点を広げる操作（第２操作）をタッチパネル部１２が受け付け、パネル制御部１０がタッチパネル部１２の出力に基づき、第２操作がなされたことを認識した時点である。
【０１２７】
次に、パネル制御部１０はダイアログ画面９１を表示すべきか否かを確認する（ステップ♯２１）。例えば、現在、表示部１１が表示している画面で、第２操作が指定オブジェクト８０の貼り付け以外の操作に割り当てられていれば、パネル制御部１０はダイアログ画面９１を表示すべきと判断してもよい。又、パネル制御部１０は指定オブジェクト８０が指定されてから予め定められた時間内であれば、ダイアログ画面９１を表示しないと判断してもよい。
【０１２８】
もし、ダイアログ画面９１を表示すべきであれば（ステップ♯２１のＹｅｓ）、パネル制御部１０は表示部１１にダイアログ画面９１を表示させる（ステップ♯２２）。そして、タッチパネル部１２がダイアログ画面９１での指示を受け付ける（ステップ♯２３）。そして、タッチパネル部１２の出力に基づき、パネル制御部１０は指定オブジェクト８０を貼り付けるか否かを確認する（ステップ♯２４）。
【０１２９】
もし、指定オブジェクト８０の貼り付けが必要なければ（ダイアログ画面９１で「いいえ」が表示された位置のタッチをタッチパネル部１２が受け付ければ、ステップ♯２４のＮｏ）、本フローは終了すればよい。一方、指定オブジェクト８０の貼り付けが必要である場合（ステップ♯２４のＹｅｓ）、及び、ステップ♯２１でダイアログ画面９１の表示が必要ない場合（ステップ♯２１のＮｏ）、パネル制御部１０はメモリー１５の記憶内容を確認し、指定オブジェクト８０が複数あるか否かを確認する（ステップ♯２５）。
【０１３０】
もし、指定オブジェクト８０が複数あれば（ステップ♯２５のＹｅｓ）、パネル制御部１０は選択画面９２を表示部１１に表示させる（ステップ♯２６）。そして、タッチパネル部１２は選択画面９２に表示された指定オブジェクト８０のうち、貼り付ける指定オブジェクト８０を選択する入力を受け付ける（ステップ♯２７）。そして、パネル制御部１０は選択された指定オブジェクト８０を確定的に画面貼り付け表示する（貼り付けるように表示する、ステップ♯２８）。
【０１３１】
そして、パネル制御部１０は貼り付けた指定オブジェクト８０に関する情報をメモリー１５に記憶させる（ステップ♯２９）。これにより、以後、貼り付けられたオブジェクト８の切り取りがなされるまで、パネル制御部１０はメモリー１５の記憶内容を確認することにより、貼り付けた画面が表示される度に貼り付けたオブジェクト８が表示される。ステップ♯２９により、指定オブジェクト８０の貼り付け処理は終了する（エンド）。
【０１３２】
一方、指定オブジェクト８０が複数なければ（ステップ♯２５のＮｏ）、パネル制御部１０はタッチされた２点のうち、少なくとも１点と重なるように、指定オブジェクト８０を表示部１１に貼り付け表示させる（ステップ♯２１０）。
【０１３３】
そして、タッチパネル部１２によるタッチ位置の移動の移動量や移動方向に基づき、パネル制御部１０は貼り付けられた未確定状態の指定オブジェクト８０の表示位置を表示部１１に移動させる（ステップ♯２１１）。例えば、パネル制御部１０は第２操作直後のタッチされた２点のうち、１点の位置（座標）からの移動量や移動方向を求め、求めた移動量や移動方向と同様に未確定状態の指定オブジェクト８０の表示位置を表示部１１に移動させる。
【０１３４】
そして、タッチパネル部１２がタッチされた点が無くなったこと（タッチパネル部１２から指が離されたこと）を受け付けることにより、パネル制御部１０は貼り付けられた指定オブジェクト８０の確定を認識する（ステップ♯２１２）。そして、パネル制御部１０は貼り付けた指定オブジェクト８０に関する情報をメモリー１５に記憶させる（ステップ♯２９）。
【０１３５】
このようにして、本実施形態に係る表示入力装置（操作パネル１）は本実施形態の表示入力装置（操作パネル１）は、画面、画像を表示し、切り取りとコピーと貼り付けの対象となる画像であるオブジェクト８を表示する表示部１１と、表示部１１に対して設けられ、使用者の入力を受け付け、複数のタッチされている位置を検知し、同時にタッチされた２点の間隔を狭める第１操作と、同時にタッチされた２点の間隔を広げる第２操作と、を受け付けるタッチパネル部１２と、を含み、タッチパネル部１２は、タッチされた２点の両方又は一方の位置に表示されたオブジェクト８を指定オブジェクト８０として指定する入力を受け付け、第１操作を指定オブジェクト８０の切り取り又はコピーを指示する入力として受け付け、第２操作を指定オブジェクト８０の貼り付け指示として受け付け、表示部１１は貼り付けが指示されたときの表示中の画面に、指定オブジェクト８０を貼り付け表示する。これにより、オブジェクト８を容易に指定し、つまむような直観的な指の操作（第１操作）を行って切り取りやコピーの指示を行うことができる。又、展開させるような直観的な指の操作（第２操作）により、表示中の画面に指定オブジェクト８０の貼り付けを行うことができる。従って、切り替えが必要な画面への指定オブジェクト８０の移動やコピーと貼り付けを簡易、直感的に行うことができる。そして、表示入力装置を使いやすくすることができる。
【０１３６】
又、タッチパネル部１２は第１操作で狭められた２点の間隔が予め定められた閾値以下であれば指定オブジェクト８０の切り取りを指示する入力として受け付け、第１操作で２点の狭められた２点の間隔が閾値を超えれば指定オブジェクト８０のコピーを指示する入力として受け付け、又は、第１操作で２点の狭められた２点の間隔が予め定められた閾値以下であれば指定オブジェクト８０のコピーを指示するする入力として受け付け、第１操作で２点の狭められた２点の間隔が閾値を超えれば指定オブジェクト８０の切り取りを指示する入力として受け付ける。これにより、第１操作でのタッチに用いている２本の指の移動の程度（移動量）により切り取るかコピーを行うかを選択することができる。従って、切り取りかコピーかを選択するためのメニューを表示させる操作や、表示されたメニューから切り取りを行うかコピーを行うかを選択する操作などを行う必要がなく、切り取りかコピーかの選択を簡易、直感的に行うことができる。
【０１３７】
又、第２操作があったとき、表示部１１は指定オブジェクト８０を貼り付けるか否かを確認するためのダイアログ画面９１を表示し、タッチパネル部１２が指定オブジェクト８０を貼り付ける旨の入力を受け付けたとき指定オブジェクト８０を表示中の画面に貼り付け表示し、タッチパネル部１２が指定オブジェクト８０を貼り付けない旨の入力を受け付けたとき指定オブジェクト８０を表示中の画面に表示しない。これにより、指定オブジェクト８０の貼り付けを行うか否かを事前に確認することができ、指定オブジェクト８０の無用な貼り付けを無くすことができる。
【０１３８】
又、第２操作が指定オブジェクト８０の貼り付け以外の操作に割り当てられているとき表示部１１はダイアログ画面９１を表示する。これにより、指定オブジェクト８０の貼り付け以外の目的で第２操作が行われたときに、使用者の意思に反して指定オブジェクト８０の貼り付けが行われることを防ぐことができる。従って、指定オブジェクト８０の貼り付けなどを行いやすくすることができる。
【０１３９】
又、第２操作があったとき、指定オブジェクト８０が指定されてから予め定められた時間内であれば、表示部１１はダイアログ画面９１を表示せずに表示中の画面に指定オブジェクト８０を貼り付け表示する。これにより、指定オブジェクト８０が指定されてから間もない間（予め定められた時間内）では、指定オブジェクト８０の貼り付けを優先させることができる。従って、貼り付けが行われる可能性が高い時間帯では、速やかに、スムーズに指定オブジェクト８０の貼り付けを行うことができる。
【０１４０】
又、切り取り又はコピーを行う複数の指定オブジェクト８０が指定されている状態で、第２操作により指定オブジェクト８０の貼り付け指示があったとき、表示部１１は表示中の画面に最後に指定された指定オブジェクト８０を貼り付け表示する。これにより、不要なものを含めて、複数のオブジェクト８が表示中の画面に一気に貼り付けられることを防ぐことができる。
【０１４１】
又、切り取り又はコピーを行う複数の指定オブジェクト８０が指定されている状態で、第２操作により指定オブジェクト８０の貼り付け指示があったとき、表示部１１は複数の指定オブジェクト８０のうち貼り付ける指定オブジェクト８０を指定するための選択画面９２を表示し、選択画面９２によりタッチパネル部１２が貼り付けるとして入力を受け付けた指定オブジェクト８０を表示中の画面に貼り付け表示する。これにより、複数の指定オブジェクト８０のうち、使用者が所望する指定オブジェクト８０のみ、表示中の画面に貼り付けることができる。
【０１４２】
又、表示部１１が第２操作に基づき、指定オブジェクト８０の貼り付け表示を行ったとき、タッチパネル部１２は第２操作によりタッチされた２点のいずれもがタッチされなくなったことを指定オブジェクト８０の貼り付けの確定入力として受け付け、表示部１１は貼り付けがなされた画面を表示するたびに貼り付けが確定された指定オブジェクト８０を表示する。これにより、指をタッチパネル部１２から離すだけで指定オブジェクト８０の表示中の画面への貼り付けを直感的、簡易に確定することができる。
【０１４３】
又、表示部１１が第２操作に基づき、指定オブジェクト８０の貼り付け表示を行ったとき、表示部１１は第２操作によりタッチされた２点の移動量と移動方向に応じて、貼り付け表示により表示された指定オブジェクト８０の表示位置を移動させる。これにより、表示中の画面への貼り付けの確定前に、指定オブジェクト８０の表示位置を調整することができる。
【０１４４】
又、画像形成装置（複合機１００）は、実施形態に係る表示入力装置（操作パネル１）を含む。画像形成装置（複合機１００）はオブジェクト８の切り取りやコピーの指定や、指定オブジェクト８０の貼り付けが直感的で使いやすい表示入力装置を含む。従って、使用者にとって使いやすい画像形成装置を提供することができる。
【０１４５】
次に、他の実施形態を説明する。パネル制御部１０は２点タッチされた位置に表示される１つのオブジェクト８を指定オブジェクト８０として認識する例を説明した。しかし、タッチパネル部１２は１回の２点タッチや１回の第１操作で複数のオブジェクト８の指定を受け付けてもよい。例えば、２つのオブジェクト８に対してそれぞれタッチすることで、タッチパネル部１２の出力に基づき、パネル制御部１０は２つのオブジェクト８が指定されたと認識してもよい。あるいは、パネル制御部１０はタッチされた２点の間隔を狭めたときのタッチ位置の軌跡上に表示される複数のオブジェクト８が指定されたと認識してもよい。そして、貼り付けのとき、パネル制御部１０は１回の２点タッチと第１操作で指定された複数のオブジェクト８の全て一度に表示中の画面に貼り付けるように表示部１１に表示させてもよい。
【０１４６】
本発明の実施形態を説明したが、本発明の範囲はこれに限定されるものではなく、発明の主旨を逸脱しない範囲で種々の変更を加えて実施することができる。
【産業上の利用可能性】
【０１４７】
本発明は、操作パネル等の表示部とタッチパネル部を有する表示入力装置や、画像形成装置に利用可能である。
【符号の説明】
【０１４８】
１００  複合機（画像形成装置）        １      操作パネル（表示入力装置）
１１    表示部                        １２    タッチパネル部
８      オブジェクト                  ８０    指定オブジェクト
８１    電子付箋                      ８２    データ画像
８３    フォルダー画像                ９１    ダイアログ画面
９２    選択画面
【図１】
0005619063.tif 000002
【図２】
0005619063.tif 000003
【図３】
0005619063.tif 000004
【図４】
0005619063.tif 000005
【図５】
0005619063.tif 000006
【図６】
0005619063.tif 000007
【図７】
0005619063.tif 000008
【図８】
0005619063.tif 000009
【図９】
0005619063.tif 000010
【図１０】
0005619063.tif 000011
【図１１】
0005619063.tif 000012
【図１２】
0005619063.tif 000013
【図１３】
0005619063.tif 000014
【図１４】
0005619063.tif 000015
【図１５】
0005619063.tif 000016